(57)【要約】      （修正有）【課題】工具やねじ部品、シール部品を必要とせずに密封状態に同径管や異径管を簡易に継ぎ合わせでき、また、簡単に継ぎ解きできて管の継ぎ合わせや継ぎ解き作業を簡易にでき、そしてさらに、径の異なる複数の竿エレメントを伸縮自在に継ぎ合わせて釣り用継手のグリップに用いてその第１段目の竿エレメントを取り外してその竿を短くして使用したりする。【解決手段】所定の長さの多数の金属ワイヤ１１、１１、・・・と、その多数の金属ワイヤを筒枠状に適宜の配線間隔に並べてその多数の金属ワイヤ１１、１１、・・・の両端に固定的に結合される両リング状ワイヤ寄せ１２、１２と、その両リング状ワイヤ寄せ１２、１２でまとめられるその多数の金属ワイヤ１１、１１、・・・の捻りすぼまり可能な筒状ワイヤ・フレーム１３にはめ合わせられる軟質チューブ１４とを含む。【選択図】図１
2014062615.tif 000002
【特許請求の範囲】
【請求項１】
所定の長さの多数の金属ワイヤと、その多数の金属ワイヤを筒枠状に適宜の配線間隔に並べてその多数の金属ワイヤの両端に固定的に結合される両リング状ワイヤ寄せと、その両リング状ワイヤ寄せでまとめられるその多数の金属ワイヤの捻りすぼまり可能な筒状ワイヤ・フレームにはめ合わせられる軟質チューブとを含む管継手。
【請求項２】
所定の長さの多数の金属ワイヤと、その多数の金属ワイヤを筒枠状に適宜の配線間隔に並べてその多数の金属ワイヤの両端に固定的に結合される両リング状ワイヤ寄せと、その両リング状ワイヤ寄せでまとめられるその多数の金属ワイヤの捻りすぼまり可能な筒状ワイヤ・フレームにはめ合わせられる軟質チューブとを含み、そして、釣り用継ぎ竿のグリップに抜け止め可能にはめ込まれるところの管継手。
【発明の詳細な説明】
【技術分野】
【０００１】
この発明は、同径管や異径管を密封状態に簡易に継ぎ合わせでき、また、それを解く管継手に関し、また、釣り用継ぎ竿のグリップに用い、継ぎ本数を変えてその竿の長さを短くしたり、また、その竿の長さを元に戻して使用可能にする管継手に関する。
【背景技術】
【０００２】
一般に、管は、ねじ込み形管継手、はめ込み形管継手、スリーブ形管継手、フランジ形管継手などで適宜に継がれるが、管継ぎ作業に工具やねじ部品、シール部品が必要になるのでその管継ぎ作業は厄介であった。
また、釣りでは、竿は釣り場に適した長さに選択されるので、長さの異なる竿が何本か必要で継ぎ竿、特に、振出し竿でもそうであった。
【先行技術文献】
【特許文献】
【０００３】
（非）特許文献ｎ
【発明の概要】
【発明が解決しようとする課題】
【０００４】
この発明の課題は、工具やねじ部品、シール部品を必要とせずに密封状態に同径管や異径管を簡易に継ぎ合わせでき、また、簡単に継ぎ解きできて管の継ぎ合わせや継ぎ解き作業を簡易にでき、そしてさらに、径の異なる複数の竿エレメントを伸縮自在に継ぎ合わせて釣り用継ぎ竿のグリップに用いてその第１段目の竿エレメントを取り外してその竿を短くして使用したり、また、その第１段目の竿エレメントを継いで元の長さに戻して使用する際、捻り作業で第２段目の細い竿エレメントやその第１段目の太い竿エレメントをそのグリップに簡単に継ぎ止めおよび取り外し可能にするところの管継手の提供にある。
【課題を解決するための手段】
【０００５】
この発明の管継手は、所定の長さの多数の金属ワイヤと、その多数の金属ワイヤを筒枠状に適宜の配線間隔に並べてその多数の金属ワイヤの両端に固定的に結合される両リング状ワイヤ寄せと、その両リング状ワイヤ寄せでまとめられるその多数の金属ワイヤの捻りすぼまり可能な筒状ワイヤ・フレームにはめ合わせられる軟質チューブとを含む。
【発明の効果】
【０００６】
この発明の管継手では、両端から内部に同径管あるいは異径管を差し込んでその両リング状ワイヤ寄せを握り、締付け方向に捻ると、その筒状ワイヤ・フレームがすぼまり、その多数の金属ワイヤがその軟質チューブに強く押し付けられて圧着され、その筒状ワイヤ・フレームが戻り止めされ、また、その多数の金属ワイヤがその軟質チューブに食い込み、その同径管、その異径管が密封状態で簡易にして簡単に継ぎ合わせられ、また、その両リング状ワイヤ寄せを握って緩め方向に捻ると、その同径管、その異径管が簡単に解かれ、管の継ぎ合わせや継ぎ解き作業が工具やねじ部品、シール部品を必要とせずに簡単にでき、そしてさらに、径の異なる複数の竿エレメントを伸縮自在に継ぎ合せる釣り用継ぎ竿のグリップに用いてその第１段目の竿エレメントを取り外してその竿を短くして使用したり、また、その第１段目の竿エレメントを継いで元の長さに戻して使用する際、その第１段目の竿エレメント、その第２段目の竿エレメントが、そのグリップに抜け止め可能に固定的に取り付けられ、また、簡単に取り外し可能になってその釣り用継ぎ竿が、１本で釣り場に簡単に適応でき、装備が軽量化されて釣りが楽しめる。
【図面の簡単な説明】
【０００７】
【図１】同径の金属パイプの接続に活用されたところのこの発明の管継手の具体例を示した斜視図である。
【図２】図１の２−２線の沿って示した断面図である。
【図３】捻りすぼまり状態でその管継手を示した斜視図である。
【図４】図３の４−４線の沿って示した断面図である。
【図５】その管継手を用いる釣り用継ぎ竿のグリップを示した断面図である。
【図６】そのグリップを変形させたグリップを示した断面図である。
【図７】この発明の管継手の別の具体例を用いるその釣り用継ぎ竿の別のグリップを示した断面図である。
【図８】その別の管継手とその別のグリップとを分解して部分的に示した部分斜視図である。
【図９】図７の９−９線の沿って示した断面図である。
【発明を実施するための形態】
【０００８】
この発明の管継手は、所定の長さの多数の金属ワイヤと、その多数の金属ワイヤを筒枠状に適宜の配線間隔に並べてその多数の金属ワイヤの両端に固定的に結合される両リング状ワイヤ寄せと、その両リング状ワイヤ寄せでまとめられるその多数の金属ワイヤの捻りすぼまり可能な筒状ワイヤ・フレームにはめ合わせられる軟質チューブとを含む。
【０００９】
また、この発明の管継手は、所定の長さの多数の金属ワイヤと、その多数の金属ワイヤを筒枠状に適宜の配線間隔に並べてその多数の金属ワイヤの両端に固定的に結合される両リング状ワイヤ寄せと、その両リング状ワイヤ寄せでまとめられるその多数の金属ワイヤの捻りすぼまり可能な筒状ワイヤ・フレームにはめ合わせられる軟質チューブとを含み、そして、釣り用継ぎ竿のグリップに抜け止め可能にはめ込まれる。
【実施例１】
【００１０】
以下、特定されて図示された具体例に基づいて、この発明の管継手を説明するに、図1な
いし図４は、同径の金属パイプ２０、２１の接続に活用されたところのこの発明の管継手の具体例１０を示し、そして、この管継手１０は、所定の太さの長い鋼線から所定の長さに切断された多数の鋼ワイヤ１１、１１、・・・と、その多数の鋼ワイヤ１１、１１、・・・を筒枠状に適宜の配線間隔で並べてその多数の鋼ワイヤ１１、１１、・・・の両端に固定的に結合される両リング状ワイヤ寄せ１２、１２と、その両リング状ワイヤ寄せ１２、１２でまとめられるその多数の鋼ワイヤ１１、１１、・・・の捻りすぼまり可能な筒状ワイヤ・フレーム１３にはめ合わせられる軟質チューブ１４とを含む構造に仕上げられている。
【００１１】
その多数の鋼ワイヤ１１、１１、・・・は、その両リング状ワイヤ寄せ１２、１２が後述されるように硬質樹脂で成形されるので、両端を適宜に潰してその両リング状ワイヤ寄せ１２、１２に一体成形で固定的に結合されて抜け止めされる。
そして、その多数の鋼ワイヤ１１、１１、・・・は、それらの太さ、長さ、および配線間隔が必要な締付け（必要な締付け力）、必要な戻止め（必要な戻り止め力）で決まるところの捻りすぼまり量、その軟質チューブ１４への食込み量、その鋼ワイヤ１１、１１、・・・間から外部へ食出し量などによって決定され、そして、その両リング状ワイヤ寄せ１２、１２でまとめられるその捻りすぼまり可能な筒状ワイヤ・フレーム１３に形成される。勿論、その鋼線ワイヤ１１、１１、・・・はピアノ線や別の金属線であってもかまわない。
【００１２】
その両リング状ワイヤ寄せ１２、１２は、適宜の握り幅および厚さを有する硬質樹脂リングである。
その両リング状ワイヤ寄せ１２、１２は、型内にその多数の鋼ワイヤ１１、１１、・・・を所定の配線間隔で並べ、その多数の鋼ワイヤ１１、１１、・・・の両端のところでその型内に硬質樹脂を注入して一体成形され、そして、その多数の鋼ワイヤ１１、１１、・・・のその両端に一体化されて結合され、そして、その多数の鋼ワイヤ１１、１１、・・・をその捻りすぼまり可能な筒状ワイヤ・フレーム１３にまとめあげる。
その両硬質樹脂製リング状ワイヤ寄せ１２、１２は、その筒状ワイヤ・フレーム１３のすぼまり量に応じて内周面１５および外周面１６の何れかにその多数の鋼ワイヤ１１、１１、・・・の両端を寄せる配置でその多数の鋼ワイヤ１１、１１、・・・の両端に一体化される。勿論、その両端リング状ワイヤ寄せ１２、１２は金属製であってもかまわない。その場合、鋳物製品であるのが望ましい。
【００１３】
その軟質チューブ１４は、所定の肉厚、そして、所定の内径および外径を有する長い軟質樹脂チューブから所定の長さに切断され、そして、その多数の鋼ワイヤ１１、１１、・・・からなる捻りすぼまり可能な筒状ワイヤ・フレーム１３にはめ合わせられる。
この軟質樹脂チューブ１４では、それの長さがその両リング状ワイヤ寄せ１２、１２間の長さに合わせられ、そして、それの内径がその両リング状ワイヤ寄せ１２、１２の内径に合わせられ、その筒状ワイヤ・フレーム１３にはめ込まれてその両リング状ワイヤ寄せ１２、１２によって抜け止めされる設計である。
さらに、この軟質樹脂チューブ１４は、それの外周面１７に多数の小さなプロジェクション（図示せず）を円周方向に適宜の間隔を置いて突き出すことも可能で、そうするとその筒状ワイヤ・フレーム１３はその多数の小さなプロジェクションによって強く戻り止めされる。
この軟質チューブ１４は、軟質樹脂、例えば、縫製可能な軟質樹脂やエラストマーのような軟質樹脂などで成形されるのが望ましい。さらに、この軟質チューブ１４は、天然ゴムで成形されてもかまわない。
【００１４】
次に、その管継手１０によるパイプ接続について述べるに、先ず、その同径の金属パイプ２０、２１がその管継手１０の両端に差し込まれてその管継手１０の内部で突き合わせ、その状態で次には、その両リング状ワイヤ寄せ１２、１２を握って締付け方向に強く捻る。そうすると、その筒状ワイヤ・フレーム１３がすぼまってその多数の鋼ワイヤ１１、１１、・・・がその軟質樹脂チューブ１４に強く押し付けられて圧着され、その筒状ワイヤ・フレーム１３が戻り止めされ、また、その多数の鋼ワイヤ１１、１１、・・・がその軟質樹脂チューブ１４に食い込み、その軟質樹脂チューブ１４の上からその金属パイプ２０、２１を締め付け、その筒状ワイヤ・フレーム１３がすぼまった状態に保持され、そして、その同径の金属パイプ２０、２１は、その管継手１０によって密封状態に簡易にして簡単に、しかも、す速く継ぎ合わせられる。
【００１５】
また、その締付け状態の管継手１０は、その両リング状ワイヤ寄せ１２、１２が握られて緩み方向に捻られると、元の状態に戻され、そして、その同径の金属パイプ２０、２１は、簡単に継ぎ解かれる。
そのように、この管継手１０を活用することによって管の継ぎ合わせや継ぎ解き作業が、工具やねじ部品、シール部品を必要とせずに簡易にして簡単になる。勿論、この管継手１０は、異径の金属パイプ、同径および異径の硬質樹脂パイプおよび炭素繊維パイプ、および釣り竿、特に、継ぎ竿や振出し竿などに活用可能になる。
【実施例２】
【００１６】
図５は、この発明の管継手１０を用いる釣り用継ぎ竿３０のグリップ４０を示し、そして、その管継手１０は、前述されたように多数の鋼ワイヤ１１、１１、・・・、その多数の鋼ワイヤ１１、１１、・・・を筒枠状に適宜の配線間隔で並べてその多数の鋼ワイヤ１１、１１、・・・の両端に一体成形されるその両硬質樹脂製リング状ワイヤ寄せ１２、１
２と、その両硬質樹脂製リング状ワイヤ寄せ１２、１２でまとめられるその多数の鋼ワイヤ１１、１１、・・・の捻りすぼまり可能な筒状ワイヤ・フレーム１３にはめ合わせられる軟質樹脂チューブ１４とを含む構造に仕上げられ、そして、この管継手１０は、釣り用継ぎ竿３０のそのグリップ４０に活用される。
【００１７】
その釣り用継ぎ竿３０は、５本の竿エレメントを順次継ぎ合わせる長い竿であり、そして、常態では、第１段目の竿エレメントにそのグリップ４０を取り付けて使われる。
そのグリップ４０は、根元を塞ぎ、先端を開放する筒状の硬質樹脂グリップ本体４１と、そのグリップ本体４１のその開放された先端にねじ結合される硬質樹脂製ロッド引き出しキャップ４２とにより組み立てられ、そして、内部にその管継手１０を閉じ込めてその継ぎ竿３０に活用される。
【００１８】
次に、釣り場に合わせてその釣り用継ぎ竿３０を短かくして使用する場合について述べるに、先ず、第１断面の竿エレメントが第２段目の竿エレメント３１から取り外され、そして、そのロッド引き出しキャップ４２およびその管継手１０がその第２段目の竿エレメント３１の根元側に順次はめ合わせられ、次に、その管継手１０がその第２段目の竿エレメント３１の根元に位置決めされ、その両硬質樹脂製リング状ワイヤ寄せ１２、１２を握って締付け方向に強く捻られ、そして、その筒状ワイヤ・フレーム１３がすぼませられると、その管継手１０はその第２段目の竿エレメント３１を締め付けてその第２段目の竿エレメント３１を根元に固定的に取り付けられる。
引き続いて、その管継手１０がその第２段目の竿エレメント３１に固定的に取り付けられた状態でそのグリップ本体４１にはめ込まれ、そのロッド引き出しキャップ４２がそのグリップ本体４１のその開放された先端にねじ結合され、その管継手１０はそのグリップ４０の内部に閉じ込められてそのグリップ４０はその第２段目の竿エレメント３１の根元に結合される。
そのようにして、その継ぎ竿３０は、釣り場に適した長さに簡易で簡単に、しかもす速く短くできて使用可能になって釣りが楽しめる。そのように、その釣り用継ぎ竿３０が、１本で釣り場に簡単に適応でき、そして、装備が軽量になる。
【００１９】
また、その短くされた継ぎ竿を元の長さに戻して使用可能にするには、先ず、そのロッド引き出しキャップ４２が緩め方向に回されてそのグリップ本体４１から外され、そして、その管継手１０がその竿と一緒にそのグリップ本体４１から引き出され、そして、その両硬質樹脂製リング状ワイヤ寄せ１２、１２を握って緩め方向に強く捻り、その第２段目の竿エレメント３１から外される。
次に、第１段目の竿エレメントがその第２段目の竿エレメント３１に継がれ、その後、前述の手順でその管継手１０がその第１段目の竿エレメントに固定的に取り付けられ、その状態で、そのグリップ本体４１にはめ込まれ、そのロッド引き出しキャップ４２が再びそのグリップ本体４１のその開放された先端にねじ結合され、その管継手１０はそのグリップ４０の内部に閉じ込められてそのグリップ４０はその第１段目の竿エレメントの根元に結合される。
そのようにして、その継ぎ竿３０は、その第１段目の竿エレメントが再びその第２段目の竿エレメント３１に継がれ、その第１段目の竿エレメントがその管継手１０でそのグリップ４０に結合されることによって簡易にして簡単に、しかもす速く元の長さに戻されて使用可能になる。そして、その継ぎ竿３０を短くしたり、元の長さに戻す作業が、工具やねじ部品、シール部品を必要とせずにそのグリップ４０です速くできて釣りに適する。
【００２０】
そのグリップ４０は、また、図６に示されたように、両端を開放する筒状の硬質樹脂グリップ本体５１と、そのグリップ本体５１の根元端にねじ込まれるストッパー・リング５２と、そのグリップ本体５１の先端にねじ込まれるストッパー・リング５２と、そのグリップ本体５１の先端にねじ込まれる抜け止めリング５３とを含むグリップ５０に具体化さ
れてもかまわない。
【実施例３】
【００２１】
図７ないし図９は、この発明の管継手の別の具体例６０を用いる釣り用継ぎ竿３０の別のグリップ７０を示し、そして、この管継手６０は、その多数の鋼ワイヤ１１、１１、・・・と、その多数の鋼ワイヤ１１、１１、・・・を筒枠状に適宜の配線間隔で並べてその多数の鋼ワイヤ１１、１１、・・・の両端に対応的に一体成形された両硬質樹脂製リング状ワイヤ寄せ６１、６２と、その両硬質樹脂製リング状ワイヤ寄せ６１、６２でまとめられるその多数の鋼ワイヤ１１、１１、・・・の捻りすぼまり可能な筒状ワイヤ・フレーム６３にはめ合わせられるその軟質樹脂チューブ１４とを含む構造に仕上げられ、そのようにその釣り用継ぎ竿３０のそのグリップ７０に適する構造に改良されてそのグリップ７０に活用される。
【００２２】
この管継手６０は、その硬質樹脂製リング状ワイヤ寄せ６１がそのグリップ７０にスプライン結合で回り止めされ、そして、その硬質樹脂製リング状ワイヤ寄せ６２が捻り操作レバー６６を固定的に組み付けてそのグリップ７０に組み込まれた状態でその捻り操作レバー６６によりそのグリップ７０の外部から捻りすぼまり可能に改良されている。
【００２３】
その硬質樹脂製リング状ワイヤ寄せ６２は、レバー沈み穴６５を明けてその沈み穴６５にその捻り操作レバー６６を通して固定的に組み付ける。この捻り操作レバー６６は、根元に取付け座６７を備える金属鋳物製品である。
【００２４】
一方、そのグリップ７０は、根元を塞ぎ、先端を開放する筒状の硬質樹脂グリップ本体７１にスプライン溝７３およびレバー案内および戻り止め溝７４を備える構造に改良された。さらに具体的には、その筒状の硬質樹脂グリップ本体７１は、内周面７２にそのスプライン溝７３を付け、その管継手６０のその硬質樹脂製リング状ワイヤ寄せ６１をスプライン結合する。また、この筒状の硬質樹脂グリップ本体７１は、その開放された先端側にそのレバー案内および戻り止め溝７４を備え、その硬質樹脂製リング状ワイヤ寄せ６２のその捻り操作レバー６６を外部に突き出し可能にする。
そのレバー案内および戻り止め溝７４は、片側溝面７５に半円形内歯７６を付けてその捻り操作レバー６６を捻り方向に案内し、そして、捻り位置に戻り止めする。
【００２５】
次に、その釣り用継ぎ竿３０を全長で、また、短くしたり、元の長さに戻して使用する際のその釣り用継ぎ竿３０をそのグリップ７０に結合する作業を述べるに、先ず、その管継手６０がその硬質樹脂製リング状ワイヤ寄せ６２にその捻り操作レバー６６を組み付けずにそのグリップ７０のそのスプライン溝７３にその硬質樹脂製リング状ワイヤ寄せ６１のスプライン６４をはめ合わせてそのグリップ７０に摺動的にはめ込まれる。そのようにはめ込まれると、その硬質樹脂製リング状ワイヤ寄せ６２がその沈み穴６５をそのグリップ７０のそのレバー案内および戻り止め溝７４に穴合わせ状態になるので、次には、その捻り操作レバー６６がその硬質樹脂製リング状ワイヤ寄せ６２の内側からそのワイヤ寄せ６２のその沈み穴６５およびそのグリップ７０のそのレバー案内および戻り止め溝７４に通されてそのグリップ７０の外部に突き出され、そして、その取付け座６７をその沈み穴６５に強く押し込んでそのワイヤ寄せ６２に固定的に組み付けられる。
引き続いて、その継ぎ竿３０が根元をその管継手６０に差し込み、そして、その捻り操作レバー６６がそのレバー案内および戻り止め溝７４に沿って案内されながら締め付け方向に強く移動されると、その管継手６０はすぼめられてその継ぎ竿３０のその根元に強く固定的に結合され、そして、その継ぎ竿３０はそのグリップ７０に一体的に取り付けられる。
その捻り操作レバー６６は捻られた位置でそのレバー案内および戻り止め溝７４のその内歯７６にかみ合せられてその管継手６０に戻り止めする。
そのようにして、その継ぎ竿３０は、その管継手６０でそのグリップ７０に簡易にして簡単に、しかも、す速く一体的に結合され、使用可能になって釣りが楽しめる。
【００２６】
その管継手６０は、その硬質樹脂製リング状ワイヤ寄せ６１がそのグリップ７０にスプライン結合されずにその沈み穴６５を明けてその沈み穴６５にその捻り操作レバー６６を通して固定的に組み付ける構造に、一方、そのグリップ７０が根元側にレバー案内および戻り止め溝を備えてその捻り操作レバー６６を外部に突き出し可能にする構造にそれぞれ変形され、そして、その両捻り操作レバー６６、６６によりそのグリップ７０の外部からその管継手６０を捻り操作可能にされてかまわない。その場合、そのグリップ７０の根元側に形成されるそのレバー案内および戻り止め溝はそのレバー案内および戻り止め溝７４のように捻りすぼまりによるその管継手６０の縮み方向傾斜させる必要はなく、軸方向に一定で円弧状に形成される。勿論、そのグリップ７０はその根元端を開放する。
【００２７】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２８】
上述から理解されるように、この発明の管継手は、所定の長さの多数の金属ワイヤと、その多数の金属ワイヤを筒枠状に適宜の配線間隔に並べてその多数の金属ワイヤの両端に固定的に結合される両リング状ワイヤ寄せと、その両リング状ワイヤ寄せでまとめられるその多数の金属ワイヤの捻りすぼまり可能な筒状ワイヤ・フレームにはめ合わせられる軟質チューブとを含むので、この発明の管継手では、両端から内部に同径管あるいは異径管を差し込んでその両リング状ワイヤ寄せを握り、締付け方向に捻ると、その筒状ワイヤ・フレームがすぼまり、その多数の金属ワイヤがその軟質チューブに強く押し付けられて圧着され、その筒状ワイヤ・フレームが戻り止めされ、また、その多数の金属ワイヤがその軟質チューブに食い込み、その同径管、その異径管が密封状態で簡易にして簡単に継ぎ合わせられ、また、その両リング状ワイヤ寄せを握って緩め方向に捻ると、その同径管、その異径管が簡単に解かれ、管の継ぎ合わせや継ぎ解き作業が工具やねじ部品、シール部品を必要とせずに簡単にでき、そしてさらに、径の異なる複数の竿エレメントを伸縮自在に継ぎ合せる釣り用継ぎ竿のグリップに用いてその第１段目の竿エレメントを取り外してその竿を短くして使用したり、また、その第１段目の竿エレメントを継いで元の長さに戻して使用する際、その第１段目の竿エレメント、その第２段目の竿エレメントが、そのグリップに抜け止め可能に固定的に取り付けられ、また、簡単に取り外し可能になってその釣り用継ぎ竿が、１本で釣り場に簡単に適応でき、装備が軽量化されて釣りが楽しめ、その結果、管や釣り竿のグリップなど非常に有用で実用的である。
【符号の説明】
【００２９】
１０  管継手
１１  鋼ワイヤ
１２  リング状ワイヤ寄せ／硬質樹脂製リング状ワイヤ寄せ
１３  捻りすぼまり可能な筒状ワイヤ・フレーム
１４  軟質チューブ／軟質樹脂チューブ
１５  内周面
１６  外周面
１７  外周面
２０  金属パイプ
２１  金属パイプ
３０  釣り用継ぎ竿
３１  第１段目の竿エレメント
４０  グリップ
４１  筒状の硬質樹脂グリップ本体
４２  硬質樹脂製ロッド引き出しキャップ
５０  グリップ
５１  筒状の硬質樹脂グリップ本体
５２  ストッパー・リング
５３  ストッパー・リング
６０  管継手
６１  硬質樹脂製リング状ワイヤ寄せ
６２  硬質樹脂製リング状ワイヤ寄せ
６３  捻りすぼまり可能な筒状ワイヤ・フレーム
６４  スプライン
６５  レバー沈み穴
６６  捻り操作レバー
６７  取付け座
７０  グリップ
７１  筒状の硬質樹脂グリップ本体
７２  内周面
７３  スプライン溝
７４  レバー案内および戻り止め溝
７５  片側溝面
７６  半円形内歯
【図１】
2014062615.tif 000003
【図２】
2014062615.tif 000004
【図３】
2014062615.tif 000005
【図４】
2014062615.tif 000006
【図５】
2014062615.tif 000007
【図６】
2014062615.tif 000008
【図７】
2014062615.tif 000009
【図８】
2014062615.tif 000010
【図９】
2014062615.tif 000011